(57)【特許請求の範囲】
【請求項１】
握り部と、前記握り部の一端に設けられたアーム部とからなる携帯型口腔内観察器具であって、
前記アーム部は、前記握り部の長さ方向に対して２０°〜５０°湾曲された湾曲部と、前記湾曲部から先端に向かって延びる先端部と、前記先端部の先端に設けられた発光ダイオードとを備え、
前記発光ダイオードは、３８０ｎｍ〜４０５ｎｍに最大ピーク波長を有し、前記最大ピーク波長の照射強度に対する４２０ｎｍの照射強度が１５％未満であるものであり、
前記発光ダイオードの先端から前記湾曲部までの長さが１０ｍｍ〜３０ｍｍの範囲であり、
前記握り部の内部に、前記発光ダイオードに電力を供給するための電池を収納する電池ボックスが設けられていることを特徴とする携帯型口腔内観察器具。
【請求項２】
前記発光ダイオードの先端から前記湾曲部までの長さと、前記湾曲部から前記握り部の一端までの長さとを足した長さが４０ｍｍ〜７０ｍｍであることを特徴とする請求項１に記載の携帯型口腔内観察器具。
【発明の詳細な説明】
【技術分野】
【０００１】
本発明は、歯垢および歯石を容易に視認できる携帯型口腔内観察器具に関する。
【背景技術】
【０００２】
う蝕または歯周疾患は、歯垢中に存在する細菌に起因する感染症として考えられており、歯垢および歯石を除去することが、口腔の健康のために非常に重要であることが知られている。しかしながら、歯垢および歯石を肉眼で識別することは一般の人には困難であり、正確に歯垢および歯石の付着部位、及びその付着程度を確認することは難しかった。
【０００３】
付着した歯垢および歯石を明らかにする手段としては、色素の含有された歯垢染色剤で歯垢および歯石を染色し、その存在部位を顕示させる方法が一般的である。歯垢および歯石を染色する色素としては赤色３号（エリスロシン）、赤色１０４号（フロキシン）、赤色１０５号（ローズベンガル）等のタール色素が用いられている。しかし、これら色素は歯垢や歯石だけでなく、歯肉、口腔粘膜、唇等も無差別に赤色に染色してしまう。この赤色は、簡単に除去できないため、不快感を伴うことや、衣類や洗面台周辺まで汚してしまうことなどが問題となっていた。
【０００４】
また、歯垢染色剤を使用せずに口腔内を観察する手段として、口腔内に光を照射する器具（特許文献１）や、特定の光を照射してう蝕を検出する方法（特許文献２）が開示されている。また、特定の光を照射し、歯垢を検出する技術（特許文献３、特許文献４、特許文献５）も開示されている。これらの技術によれば、歯垢染色剤を用いることなく、口腔内を観察できる。
【特許文献１】特開２００２−８５３５１号公報
【特許文献２】特許第１９４４１９８号公報
【特許文献３】特表２００２−５１５２７６号公報
【特許文献４】特開２００４−６５９９４号公報
【特許文献５】特開２００４−２３７０８１号公報
【発明の開示】
【発明が解決しようとする課題】
【０００５】
しかしながら、従来の歯垢染色剤を使用せずに口腔内を観察する技術では、歯垢や歯石の付着量が僅かであるときや、奥歯や前歯の舌側のような光を照射しにくい部位に歯垢や歯石が存在するときなど、歯垢および歯石が検知しづらい場合があった。
また、従来の歯垢染色剤を使用せずに口腔内を観察する技術において、歯垢や歯石からの反射光をフィルタリングして観察する場合には、装置の本体部分にフィルターを設置したり、フィルター付の眼鏡を装着したりする必要があり、観察のしやすさや、操作しやすさを向上させることが要求されていた。
また、従来の歯垢染色剤を使用せずに口腔内を観察する技術において、画像装置を用いて歯垢や歯石を観察する場合には、装置が大きくなるとともに、操作が複雑になり、一般家庭で使用しづらかった。
【０００６】
本発明は、上記事情に鑑みなされたもので、歯垢や歯石の付着量が僅かである場合や、歯垢や歯石が奥歯や前歯の舌側などの光を照射しにくい部位に付着している場合であっても、歯垢染色剤を使用せずに歯垢や歯石を容易に視認することができる携帯型口腔内観察器具を提供することを目的とする。
【課題を解決するための手段】
【０００７】
上記目的を達成するために本発明は以下の構成を採用した。
本発明の携帯型口腔内観察器具は、握り部と、前記握り部の一端に設けられたアーム部とからなる携帯型口腔内観察器具であって、前記アーム部は、前記握り部の長さ方向に対して２０°〜５０°湾曲された湾曲部と、前記湾曲部から先端に向かって延びる先端部と、前記先端部の先端に設けられた発光ダイオードとを備え、前記発光ダイオードは、３８０ｎｍ〜４０５ｎｍに最大ピーク波長を有し、前記最大ピーク波長の照射強度に対する４２０ｎｍの照射強度が１５％未満であるものであり、前記発光ダイオードの先端から前記湾曲部までの長さが１０ｍｍ〜３０ｍｍの範囲であり、前記握り部の内部に、前記発光ダイオードに電力を供給するための電池を収納する電池ボックスが設けられていることを特徴とする。
【０００８】
なお、本発明において「発光ダイオードの先端から湾曲部までの長さ」とは、先端部の中心線と握り部の中心線との交点から発光ダイオードの先端までの長さのことをいう。
【０００９】
また、上記の携帯型口腔内観察器具においては、前記発光ダイオードの先端から前記湾曲部までの長さと、前記湾曲部から前記握り部の一端までの長さとを足した長さが４０ｍｍ〜７０ｍｍであるものとすることができる。
なお、本発明において「湾曲部から握り部の一端までの長さ」とは、先端部の中心線と握り部の中心線との交点から握り部の一端までの長さのことをいう。
【発明の効果】
【００１０】
本発明によれば、アーム部が、握り部の長さ方向に対して２０°〜５０°湾曲された湾曲部と、前記湾曲部から先端に向かって延びる先端部と、前記先端部の先端に設けられた発光ダイオードとを備え、前記発光ダイオードが、３８０ｎｍ〜４０５ｎｍに最大ピーク波長を有し、前記最大ピーク波長の照射強度に対する４２０ｎｍの照射強度が１５％未満であるものであり、前記発光ダイオードの先端から前記湾曲部までの長さが１０ｍｍ〜３０ｍｍの範囲であるものであるので、歯垢や歯石の付着量が僅かである場合や、歯垢や歯石が奥歯や前歯の舌側などの光を照射しにくい部位に付着している場合であっても、歯垢染色剤を使用せずに歯垢や歯石を容易に視認することができ、しかも、操作性に優れた携帯型口腔内観察器具を実現できる。
【００１１】
さらに、本発明の携帯型口腔内観察器具においては、握り部の内部に、前記発光ダイオードに電力を供給するための電池を収納する電池ボックスが設けられているので、操作性および携帯性に優れたハンディタイプの携帯型口腔内観察器具を実現できる。
また、上記の携帯型口腔内観察器具においては、前記発光ダイオードの先端から前記湾曲部までの長さと、前記湾曲部から前記握り部の一端までの長さとを足した長さを４０ｍｍ〜７０ｍｍとすることで、より一層、視認性および操作性に優れたものとなる。
【発明を実施するための最良の形態】
【００１２】
次に、図面を用いて本発明の実施の形態を詳細に説明する。なお、本発明は、以下に説明する実施の形態に限定されない。
図１は、本発明の携帯型口腔内観察器具の一例を説明するための模式図である。図１に示す携帯型口腔内観察器具は、握り部５と、握り部５の一端５ａに設けられたアーム部４とからなるものである。
【００１３】
握り部５は、図１に示すように、一端５ａから他端５ｂに向かって外径が徐々に大きくなる形状とされており、使用時に握りやすい形状とされている。また、握り部５は、中空のものであり、握り部５の内部には、図１に示すように、発光ダイオード１に電力を供給するための電池７を収納する電池ボックス６と、発光ダイオード１と電池ボックス６との間に配置された抵抗体３と、発光ダイオード１と電池ボックス６とスイッチ８と抵抗体３との間を導電接続するための配線２とが設けられている。また、握り部５の他端５ｂには、電池７から発光ダイオード１への電力の供給と電力の供給停止とを切り替えるスイッチ８が設けられている。
【００１４】
また、アーム部４は、握り部５の長さ方向に対して湾曲された湾曲部４ａと、湾曲部４ａから握り部５の一端５ａに向かって握り部５の長さ方向に延びる取り付け部４ｃと、湾曲部４ａから先端に向かって延びる先端部４ｂと、先端部４ｂの先端４ｄに設けられた発光ダイオード１とを備えている。
【００１５】
発光ダイオード１は、３８０ｎｍ〜４０５ｎｍに最大ピーク波長を有し、最大ピーク波長の照射強度に対する４２０ｎｍの照射強度が１５％未満であるものが用いられる。このような特定波長の光を歯垢、歯石など口腔内の付着物に照射することにより、対象物からの反射光として、６００ｎｍ〜６８０ｎｍに最大ピークを有する鮮やかなオレンジ色〜赤色の蛍光を発光させることができ、歯垢、歯石など口腔内の付着物を容易に視認化可能とすることができる。
【００１６】
発光ダイオード１の最大ピーク波長は、３８０ｎｍ〜４０５ｎｍとすることができるがが、３９０ｎｍ〜４０５ｎｍとした場合、歯垢や歯石に光を照射したときに得られる歯垢や歯石からの反射光の強度が強いものとなるため、より好ましい。
なお、発光ダイオード１の最大ピーク波長が３８０ｎｍ未満であっても、４０５ｎｍを超えても、歯垢や歯石に光を照射したときに得られる歯垢や歯石からの反射光の強度が著しく低下し、歯垢や歯石の視認性が低下するため望ましくない。
【００１７】
また、発光ダイオード１としては、最大ピーク波長の照射強度に対する４２０ｎｍの照射強度が１５％未満であるものが用いられる。また、最大ピーク波長の照射強度に対する４２０ｎｍの照射強度は、１０％未満であることがより好ましく、０％であってもよい。
発光ダイオード１の最大ピーク波長の照射強度に対する４２０ｎｍの照射強度が１５％以上であると、波長が３８０ｎｍ〜４０５ｎｍの光を歯垢や歯石に照射したときに得られる歯垢や歯石からの反射光の視認性が、波長が４２０ｎｍの光によって妨害されてしまうので、歯垢や歯石からの反射光の視認性が顕著に低下するため好ましくない。
【００１８】
また、発光ダイオード１は、小型、軽量である、光の強度が適度である、発光させてもほとんど発熱しないため安全に使用できる、波長分布がシャープであり目的とする波長の光を選択的に照射しやすいなどの利点を有する。
【００１９】
また、発光ダイオード１の先端１ａから湾曲部４ａまでの長さＬ１は、１０ｍｍ〜３０ｍｍの範囲とされ、１０ｍｍ〜２０ｍｍの範囲とすることがより好ましい。ここでの発光ダイオード１の先端１ａから湾曲部４ａまでの長さＬ１とは、先端部４ｂの中心線ｌ１と握り部５の中心線ｌ２との交点Ｐから発光ダイオード１の先端１ａまでの長さＬ１のことをいう。
発光ダイオード１の先端１ａから湾曲部４ａまでの長さＬ１が、１０ｍｍ未満であると、発光ダイオード１をアーム部４の先端部４ｂに設置することが技術的に困難となるため好ましくない。また、発光ダイオード１の先端１ａから湾曲部４ａまでの長さＬ１が３０ｍｍを超えると、口腔内でアーム部４を動かしにくくなり、奥歯などの光を照射しにくい部位に付着している歯垢や歯石を観察する際の操作性を低下させる恐れがあり、好ましくない。
【００２０】
また、発光ダイオード１の先端１ａから握り部５の一端５ａまでの長さであって、発光ダイオード１の先端１ａから湾曲部４ａまでの長さＬ１と、湾曲部４ａから握り部５の一端５ａまでの長さＬ２とを足した長さ（Ｌ１+Ｌ２）（アーム部の長さ）は、４０ｍｍ〜７０ｍｍとされ、５０ｍｍ〜６０ｍｍであることがより好ましい。ここでの湾曲部４ａから握り部５の一端５ａまでの長さＬ２とは、取り付け部４ｃの長さＬ２のことであって、先端部４ｂの中心線ｌ１と握り部５の中心線ｌ２との交点Ｐから握り部５の一端５ａまでの長さＬ２のことをいう。
アーム部４の長さ（Ｌ１+Ｌ２）が４０ｍｍ未満であると、発光ダイオード１の先端１ａを奥歯の近傍に配置しにくくなり、奥歯に付着している歯垢や歯石に光を照射しにくくなり、奥歯に付着している歯垢や歯石を観察する際の操作性や視認性が低下する虞があり、好ましくない。また、アーム部４の長さ（Ｌ１+Ｌ２）が７０ｍｍを超えると、口腔内でアーム部４を動かしにくくなり、奥歯などの光を照射しにくい部位に付着している歯垢や歯石を観察する際の操作性が悪くなり、好ましくない。
【００２１】
また、発光ダイオード１は、発光ダイオード１の全長に対するアーム部４から露出する発光ダイオード１の長さの比率である発光ダイオード１の露出比率が、２０％〜６０％となるようにアーム部４の先端部４ｂに埋め込んで設置されることが好ましい。さらに、例えば、外径φ３ｍｍ〜φ５ｍｍの発光ダイオード１を使用する場合には、３０〜５０％とされることがより好ましい。
発光ダイオード１の露出比率が２０％未満であると、光を歯垢や歯石に照射したときの照射面の明るさが不十分となり、歯垢や歯石など対象物からの反射光が不十分となって、歯垢や歯石が見えにくくなる場合がある。また、発光ダイオード１の露出比率が６０％を超えると、発光ダイオード１の側面から発光する散乱光の量が多くなり、歯垢や歯石が視認しにくくなる場合があるため好ましくない。
【００２２】
発光ダイオード１の形状は特に限定されないが、十分な光量が得られ、操作性を低下させない程度に十分に小さく、光の指向性に優れたものであることが望ましい。具体的には、発光ダイオード１として、外径がφ２ｍｍ〜φ６ｍｍのものを用いることが好ましく、外径がφ３ｍｍ〜φ５ｍｍの砲弾型のものを用いることがより好ましい。
【００２３】
本発明の携帯型口腔内観察器具に好適に用いられる発光ダイオード１としては、具体的には、ＥＰＩＴＥＣ社製のＬ３９５ＵＶ、Ｌ３８５ＵＶ、ＹＩＯＷ  ＣＨＩＥ社製のＹＣ５１３ＣＵＶ−Ｋ、ＹＣ３１４ＣＵＶ、ＹＣ３１４ＵＶなどを使用することができる。
【００２４】
また、アーム部４を構成する湾曲部４ａの湾曲された角度αであって、握り部５の長さ方向と先端部４ｂの延在方向とのなす角度αは、２０°〜５０°とされ、３０°〜４０°とすることがより好ましい。なす角度αが２０°未満である場合、発光ダイオード１を奥歯に接近させにくくなり、奥歯に付着している歯垢や歯石などの対象物に対し垂直方向から光を照射しにくくなる。また、なす角度αが５０°を超える場合には、発光ダイオード１を前歯の舌側に接近させにくくなり、前歯の舌側に付着している歯垢や歯石などの対象物に対し垂直方向から光を照射しにくくなる。対象物に対し垂直方向から光を照射しにくくなると、比較的初期段階の歯垢など付着量が僅かな付着物を視認化しにくくなるため好ましくない。
【００２５】
また、アーム部４の断面形状は、円形、楕円形、四角形、その他多角形などにすることができ、特に限定されないが、口腔内に挿入したときの操作性の点からアーム部４の断面形状は円形とすることが最も好ましい。アーム部４の断面形状を円形とした場合、アーム部４の外径はφ４ｍｍ〜φ１２ｍｍであることが好ましく、φ５ｍｍ〜φ８ｍｍとすることがより好ましい。
【００２６】
電池７としては、ボタン電池やアルカリ電池、マンガン電池などの乾電池、二次電池などが使用可能であるが、携帯性に優れたものとするために、より小型の電池を用いることが好ましく、ボタン電池が好適である。本実施形態においては、電池７として、図１に示すように、３つのボタン電池を備えている。
【００２７】
スイッチ８は、発光ダイオード１への電力の供給をオン・オフするものである。図１に示すスイッチ８は、指などで押し込むことにより凹部状に固定されるとともに電力を供給し、再度押し込むことにより凹部状に固定された状態から押し込む前の位置にばね等で付勢されて復帰するとともに電力の供給を停止するタイプのものを用いることができる。なお、スイッチ８は握り部５の他端５ｂに設けることができるが、握り部５の側面などに設けてもよく、握り部５を持ったときに邪魔にならない位置であればどこに設置しても良い。
【００２８】
抵抗体３は、発光ダイオード１に１０ｍＡ〜４０ｍＡの電流が流れるようにするものである。発光ダイオード１に４０ｍＡを超える電流を流した場合、歯垢や歯石などの対象物に光が照射されたときに、ハレーションをおこして歯垢および歯石の観察しやすさが低下する虞がある。また、発光ダイオード１に１０ｍＡ未満の電流を流した場合、光を歯垢や歯石に照射したときの照射面の明るさが不十分となり、歯垢や歯石など対象物からの反射光が不十分となって、歯垢や歯石が見えにくくなる場合がある。
【００２９】
また、湾曲部４ａ、先端部４ｂ、取り付け部４ｃ、握り部５の材質は、特に限定されないが、ＡＢＳ樹脂、ポリプロピレン、ポリエチレン、ポリプロピレン、ポリエチレンテレフタレート、スチレン樹脂、アクリル樹脂、ポリカーボネート樹脂などのプラスチックや、ステンレス、真鍮、チタン、アルミニウムなどの金属を使用することが好ましい。
また、アーム部４の材質として、ステンレス、真鍮、チタン、アルミニウムなどの金属を用いることで、使用時に、口腔内に入れたアーム部４を噛んだり破損したりした場合の安全性に優れたものとなる。
【００３０】
本実施形態の携帯型口腔内観察器具を用いて口腔内の歯垢や歯石を観察するには、例えば、以下に示す方法によって行うことができる。すなわち、スイッチ８をオンにして発光ダイオード１への電力の供給を開始し、使用者が握り部５を手に持ってアーム部４を口腔内に入れ、発光ダイオード１が発光する上述した特定波長の光を、口腔内の任意の部位に付着した歯垢や歯石などの付着物に照射することにより、対象物からの反射光として、６００ｎｍ〜６８０ｎｍに最大ピーク波長を有する鮮やかなオレンジ色〜赤色の蛍光を発光させ、対象物を視認化させる方法によって行われる。
【００３１】
なお、本実施形態の携帯型口腔内観察器具を用いる場合において、自分では観察しにくい歯の裏側などの部位を観察したいときなどは、必要に応じて市販のデンタルミラーなど口の中に挿入可能な鏡で対象物からの反射光を反射させて観察してもよい。また、観察に用いる鏡は特に限定されるものではないが、橘医療器（株）製のマウスミラーＩＩ、ホワイトミラー、スーパーミラー３００などのデンタルミラーや橘医療器（株）製の口腔内撮影用ミラーなども使用できる。
【００３２】
本実施形態の携帯型口腔内観察器具によれば、歯垢や歯石の付着量が僅かである場合や、歯垢や歯石が奥歯や前歯の舌側などの光を照射しにくい部位に付着している場合であっても、歯垢染色剤を使用せずに歯垢や歯石を容易に視認することができる。
しかも、本実施形態の携帯型口腔内観察器具は、従来の歯垢染色剤を使用せずに口腔内を観察する技術のように、装置の本体部分にフィルターを設置したり、フィルター付の眼鏡を装着したり、画像装置を用いたりする必要がなく、操作性に優れ、装置が小さく、一般家庭でも使用しやすいものとなる。
【００３３】
また、本実施形態の携帯型口腔内観察器具では、発光ダイオード１が、３８０ｎｍ〜４０５ｎｍに最大ピーク波長を有しているので、歯垢や歯石に光を照射したときに得られる歯垢や歯石からの反射光の発光レベルが十分に大きく、歯垢や歯石の視認性に優れたものとなる。しかも、本実施形態の携帯型口腔内観察器具では、発光ダイオード１の最大ピーク波長の照射強度に対する４２０ｎｍの照射強度が１５％未満であるので、波長が３８０ｎｍ〜４０５ｎｍの光を歯垢や歯石に照射したときに得られる歯垢や歯石から反射光の視認性が４２０ｎｍの光によって妨害されにくいものとなる。
このため、比較的初期段階の歯垢などの口腔内の付着物に光を照射した場合でも充分に視認することができる。また、歯垢や歯石の付着量が僅かであっても、歯垢染色剤を使用せずに歯垢や歯石を容易に視認することができる。
【００３４】
また、発光ダイオード１が、アーム部４の先端部４ｂの先端４ｄに設けられているので、発光ダイオード１を容易に歯に接近させることができるとともに、奥歯に付着している歯垢や歯石などの対象物に対して垂直方向から十分な強度の光を照射することができる。よって、比較的初期段階の歯垢などの口腔内の付着物を容易に視認することができる。
【００３５】
しかも、本実施形態の携帯型口腔内観察器具では、アーム部４の湾曲部４ａが握り部５の長さ方向に対して２０°〜５０°湾曲されているので、発光ダイオード１を奥歯や前歯の舌側に容易に接近させることができ、奥歯や前歯の舌側に付着している歯垢や歯石などの対象物に対して垂直方向から十分な強度の光を照射することができる。したがって、奥歯や前歯の舌側などの光を照射しにくい部位に付着している比較的初期段階の歯垢や歯石など付着量が僅かな付着物を容易に視認することができる。
【００３６】
さらに、発光ダイオード１の先端１ａから湾曲部４ａまでの長さＬ１が１０ｍｍ〜３０ｍｍの範囲であるので、発光ダイオード１をアーム部４の先端部４ｂに容易に設置することができ、なおかつ、口腔内でアーム部４を動かしやすい操作性に優れたものとなる。
また、アーム部の長さ（Ｌ１+Ｌ２）が４０ｍｍ〜７０ｍｍであるので、発光ダイオード１の先端１ａを奥歯の近傍に容易に配置させることができ、なおかつ、口腔内でアーム部４を動かしやすい操作性に優れたものとなる。
【００３７】
なお、本発明の携帯型口腔内観察器具は、上述した図１に示す実施形態に限定されるものではなく、例えば、図２に示す携帯型口腔内観察器具とすることができる。
図２に示す携帯型口腔内観察器具においては、図１に示す携帯型口腔内観察器具と異なり、スイッチ８ａが握り部５に対して回転するタイプのものとされている。なお、スイッチ８ａとしては、図１に示すものや図２に示すものだけでなく、例えば、押し込む前の位置に復帰するようにばね等で付勢され、押しているときだけ電力を供給するタイプや、板状部材をスライドするタイプなどいずれのタイプを用いてもよい。
また、図２に示す携帯型口腔内観察器具においては、図１に示す携帯型口腔内観察器具と異なり、握り部５の長さ方向中心部の外径が小さく形成されており、使用時に握りやすい形状とされている。
【００３８】
「実施例」
以下、実施例および比較例を示して本発明を具体的に説明するが、本発明は下記実施例に制限されるものではない。
＜実施例１〜１２、比較例１〜１０＞
まず、外径φ６ｍｍ、厚み０.４ｍｍのステンレス製のパイプの先端に、表１および表２に示す最大ピーク波長、４２０ｎｍの照射強度の以下に示す発光ダイオードを装着し、表１および表２に示す湾曲部の角度、アーム部の長さ、光源（発光ダイオード）の先端から湾曲部までの長さ、発光ダイオードの露出比率のアーム部を作成した。
次いで、ボタン電池（ＬＲ４４）３個を収納した電池ボックスと、発光ダイオードに供給される電流値が２０ｍＡとなるように電池ボックスと発光ダイオードとの間に設置された抵抗体とが、内部に設けられたアクリル樹脂からなる外径φ１５ｍｍの棒状の握り部を作成した。
このようにして得られた握り部とアーム部とを接着剤で固定して、実施例１〜１２、比較例１〜１０の携帯型口腔内観察器具を作製した。
【００３９】
【表１】
0004808515.tif 000002
【００４０】
【表２】
0004808515.tif 000003
【００４１】
＜実施例１３＞
実施例１と同様にしてアーム部を作成した。次いで、握り部の材質をＡＢＳ樹脂としたこと以外は、実施例１と同様にして握り部を作成した。そして、得られた握り部とアーム部とを接着剤で固定して、実施例１３の携帯型口腔内観察器具を作製した。
＜実施例１４＞
外径φ８ｍｍ、厚み1ｍｍのＡＢＳ樹脂製のパイプを用いたこと以外は、実施例１と同様にしてアーム部を作成し、握り部の材質をＡＢＳ樹脂としたこと以外は、実施例１と同様にして握り部を作成した。そして、得られた握り部とアーム部とを接着剤で固定して、実施例１４の携帯型口腔内観察器具を作製した。
【００４２】
「実施例１〜１４、比較例１〜１０において使用した発光ダイオード」
実施例１、実施例１３：ＹＩＯＷ  ＣＨＩＥ社製  ＹＣ３１４ＵＶ（外径φ３ｍｍ、砲弾型）
実施例２：ＥＰＩＴＥＣ社製  ３８５ＵＶ（外径φ５ｍｍ、砲弾型）
実施例３：ＹＩＯＷ  ＣＨＩＥ社製  ＹＣＮ５１３ＵＶ（外径φ５ｍｍ、砲弾型）
実施例４：ＬＵＣＫＹ  ＬＩＧＨＴ社製  ＬＬ５０４ＵＶ（外径φ５ｍｍ、砲弾型）
実施例５〜１２、実施例１４、比較例５〜１０：ＥＰＩＴＥＣ社製  ３９５ＵＶ（外径φ３ｍｍ、砲弾型）
比較例１：ＥＰＩＴＥＣ社製  ４３０（外径φ５ｍｍ、砲弾型）
比較例２：ＢＲＩＧＨＴ  ＥＲＥＣＴＲＩＣ社製  ＢＬ−ＢＩＣ３Ｖ１（外径φ３ｍｍ、砲弾型）
比較例３：ＥＰＩＴＥＣ社製  ４０５ＵＶ（外径φ５ｍｍ、砲弾型）
比較例４：ＥＰＩＴＥＣ社製  ３７５ＵＶ（外径φ５ｍｍ、砲弾型）
【００４３】
なお、実施例１〜１４、比較例１〜１０の携帯型口腔内観察器具を作製するに際し、外径φ３ｍｍの発光ダイオードを用いた場合にはパイプの先端に樹脂と接着剤で発光ダイオードを固定し、外径φ５ｍｍの発光ダイオードを用いた場合にはパイプの先端に接着剤で発光ダイオードを固定した。
また、表１および表２に示す４２０ｎｍの照射強度とは、最大ピーク波長の照射強度に対する４２０ｎｍの照射強度を意味し、浜松ホトニクス社製の簡易型マルチチャンネル測定システムＰＭＡ−１０を用いて測定した結果から算出したものである。
【００４４】
実施例１〜１４、比較例１〜１０の携帯型口腔内観察器具を用いて「前歯部舌側」「臼歯部舌側」「臼歯部頬側」の歯面に付着した歯垢および歯石を観察し、以下に示すように、歯垢および歯石の視認性と操作性とを調べた。
＜歯垢および歯石の視認性＞
下顎部の口腔清掃を３日間中止した１０人のパネラーが、発光ダイオードを発光させた状態の携帯型口腔内観察器具の握り部を手に持って、アーム部を口腔内に入れ、各パネラー自身が鏡を見ながら、発光ダイオードが発光する光を以下に示す各部位の歯面に付着した初期段階の歯垢および歯石に光を照射し、付着物からの反射光の視認しやすさを目視にて以下に示す評価基準に基づいて観察し、評価して点数化した。
【００４５】
観察部位
「前歯部舌側」下顎部の前歯左右１、２番の舌側（計４本）
「臼歯部舌側」下顎部の臼歯部左右６、７番の舌側（計４本）
「臼歯部頬側」下顎部の臼歯部左右６、７番の頬側（計４本）
【００４６】
「評価基準」
７点：非常に良く見えた。
６点：かなり良く見えた。
５点：やや良く見えた。
４点：どちらともいえない。
３点：あまり見えなかった。
２点：かなり見えなかった。
１点：全く見えなかった。
【００４７】
＜操作性＞
１０人のパネラーが、口腔内に挿入したアーム部の操作性の評価として、臼歯部の観察のしやすさを以下に示す評価基準に基づいて評価して点数化した。
「評価基準」
７点：非常に良い。
６点：かなり良い。
５点：やや良い。
４点：どちらともいえない。
３点：あまり良くない。
２点：かなり良くない。
１点：非常に良くない。
【００４８】
このようにして得られた視認性と操作性の評価の点数の平均値を算出し、以下に示す評価基準に従って評価した。その結果を表１および表２に示す。
「評価基準」
６．５点以上            ：◎
５．５点以上６．５点未満：○
４．５点以上５．５点未満：○〜△
３点以上４．５点未満    ：△
３点未満                ：×
【００４９】
表１および表２に示すように、実施例１〜１４の携帯型口腔内観察器具を使用して口腔内を観察することで、観察しにくい部位にある比較的初期段階の歯垢および歯石を容易に視認できることが確認できた。
これに対し、最大ピーク波長および４２０ｎｍの照射強度が本発明の範囲外である比較例１および比較例２、４２０ｎｍの照射強度が本発明の範囲外である比較例３、最大ピーク波長が本発明の範囲外である比較例４は、実施例１〜１４と比較して視認性の評価が低くなった。
また、湾曲部の角度および／または光源（発光ダイオード）の先端から湾曲部までの長さが本発明の範囲外である比較例５〜比較例１０では、実施例１〜１４と比較して操作性の評価が低くなった。
【図面の簡単な説明】
【００５０】
【図１】図１は、本発明の携帯型口腔内観察器具の一例を説明するための模式図である。
【図２】図２は、本発明の携帯型口腔内観察器具の他の例を説明するための模式図である。
【符号の説明】
【００５１】
１・・・発光ダイオード、１ａ・・・先端、３・・・抵抗体、２・・・配線、４・・・アーム部、４ａ・・・湾曲部、４ｂ・・・先端部、４ｃ・・・取り付け部、４ｄ・・・先端、５・・・握り部、５ａ・・・一端、５ｂ・・・他端、６・・・電池ボックス、７・・・電池、８・・・スイッチ。
【図１】
0004808515.tif 000004
【図２】
0004808515.tif 000005